(57)【特許請求の範囲】
【請求項１】
農機具が借用される地域である貸出先地域が示される、農機具の借用を依頼する借用依頼を受信する借用依頼受信部と、
複数の貸出候補農機具が所在する地域である複数の貸出元地域の各々と前記貸出先地域との組合せごとに、各貸出元地域から前記貸出先地域に貸出可能な貸出候補農機具を計数し、計数結果に基づき、前記複数の貸出元地域の中から、前記貸出先地域に貸出候補農機具を貸し出す貸出元地域を選択する選択部とを有する情報処理装置。
【請求項２】
前記選択部は、
前記計数結果に基づき、前記複数の貸出元地域から、前記貸出先地域に貸出候補農機具を貸し出す貸出元地域を２以上選択した場合に、
前記２以上の貸出元地域の各々と前記貸出先地域との組合せごとに、各貸出元地域から前記貸出先地域までの距離を計算し、計算された距離に基づき、前記２以上の貸出元地域の中から、前記貸出先地域に貸出候補農機具を貸し出す貸出元地域を選択する請求項１に記載の情報処理装置。
【請求項３】
前記情報処理装置は、更に、
前記選択部により選択された貸出元地域から前記貸出先地域への貸出候補農機具の輸送の請負についてのオークションを管理する輸送請負オークション管理部を有する請求項１に記載の情報処理装置。
【請求項４】
前記情報処理装置は、更に、
前記選択部により選択された貸出元地域から前記貸出先地域に貸し出される貸出候補農機具の保守の請負についてのオークションを管理する保守請負オークション管理部を有する請求項１に記載の情報処理装置。
【請求項５】
前記情報処理装置は、更に、
前記選択部により選択された貸出元地域から前記貸出先地域に貸し出すことができない農機具の貸出についてのオークションを管理するレンタル請負オークション管理部を有する請求項１に記載の情報処理装置。
【請求項６】
前記情報処理装置は、更に、
農機具の貸出料金の過去の相場、農機具の現在の貸出状況、農機具の希望貸出料金及び農機具の希望借用料金のうちの少なくともいずれかを示す相場情報を、農機具の貸出を希望する者の端末装置及び農機具の借用を希望する者の端末装置の内の少なくともいずれかに送信する相場情報公開部を有する請求項１に記載の情報処理装置。
【請求項７】
コンピュータが、農機具が借用される地域である貸出先地域が示される、農機具の借用を依頼する借用依頼を受信し、
前記コンピュータが、複数の貸出候補農機具が所在する地域である複数の貸出元地域の各々と前記貸出先地域との組合せごとに、各貸出元地域から前記貸出先地域に貸出可能な貸出候補農機具を計数し、計数結果に基づき、前記貸出先地域に貸出候補農機具を貸し出す貸出元地域を選択する情報処理方法。
【請求項８】
農機具が借用される地域である貸出先地域が示される、農機具の借用を依頼する借用依頼を受信する借用依頼受信処理と、
複数の貸出候補農機具が所在する地域である複数の貸出元地域の各々と前記貸出先地域との組合せごとに、各貸出元地域から前記貸出先地域に貸出可能な貸出候補農機具を計数し、計数結果に基づき、前記貸出先地域に貸出候補農機具を貸し出す貸出元地域を選択する選択処理とをコンピュータに実行させる情報処理プログラム。
【発明の詳細な説明】
【技術分野】
【０００１】
本発明は、農機具の貸出しに関する。
【背景技術】
【０００２】
特許文献１には、農機具の貸し借りを可能にする技術が開示されている。より具体的には、特許文献１には、農家が農機具の貸出条件をサーバ装置に登録し、他の地域の農家が貸出条件に合意する場合に、他の地域の農家は、サーバ装置を介して当該農機具を借用できることが開示されている。
なお、本明細書において、農機具とは、農業に用いる機械、機具であり、例えば、トラクタ、田植機、刈払機、ポンプ、肥料混合器等である。
【先行技術文献】
【特許文献】
【０００３】
【特許文献１】特開２００３−１６８０５７号公報
【発明の概要】
【発明が解決しようとする課題】
【０００４】
特許文献１の技術では、農機具の貸し借りのマッチングが個別に実施されるため、貸し出される農機具は貸出元地域から貸出先地域に個別に輸送される。このため、特許文献１の技術では、農機具の輸送費が高くなるという課題がある。【０００５】
この発明は、このような課題を解決することを主な目的としている。より具体的には、本発明は、貸出元地域から貸出先地域に農機具を輸送する際の輸送費を低減させることを主な目的とする。
【課題を解決するための手段】
【０００６】
本発明に係る情報処理装置は、
農機具が借用される地域である貸出先地域が示される、農機具の借用を依頼する借用依頼を受信する借用依頼受信部と、
複数の貸出候補農機具が所在する地域である複数の貸出元地域の各々と前記貸出先地域との組合せごとに、各貸出元地域から前記貸出先地域に貸出可能な貸出候補農機具を計数し、計数結果に基づき、前記複数の貸出元地域の中から、前記貸出先地域に貸出候補農機具を貸し出す貸出元地域を選択する選択部とを有する。
【発明の効果】
【０００７】
本発明によれば、貸出先地域に多数の農機具をまとめて貸し出すことができる貸出元地域を選択することができる。従って、本発明によれば、多数の農機具を一括して輸送することにより輸送費を軽減することができる。
【図面の簡単な説明】
【０００８】
【図１】実施の形態１に係る農機具貸出システムの構成例を示す図。
【図２】実施の形態１に係るサーバ装置の機能構成例を示す図。
【図３】実施の形態１に係る農機具貸出システムにおけるデータフローの例を示す図。
【図４】実施の形態１に係る農機具貸出システムにおけるデータフローの例を示す図。
【図５】実施の形態２に係る農機具貸出システムの構成例を示す図。
【図６】実施の形態２に係るサーバ装置の機能構成例を示す図。
【図７】実施の形態２に係る農機具貸出システムにおけるデータフローの例を示す図。
【図８】実施の形態２に係る農機具貸出システムにおけるデータフローの例を示す図。
【図９】実施の形態１及び２に係るサーバ装置のハードウェア構成例を示す図。
【発明を実施するための形態】
【０００９】
以下、本発明の実施の形態について、図を用いて説明する。以下の実施の形態の説明及び図面において、同一の符号を付したものは、同一の部分または相当する部分を示す。
【００１０】
実施の形態１．
＊＊＊構成の説明＊＊＊
図１は、実施の形態１に係る農機具貸出システムの構成例を示す。
本実施の形態に係る農機具貸出システムは、ネットワーク１０１、サーバ装置１０２、輸送業者端末装置１０３、保守業者端末装置１０４、借用希望者端末装置１０５、貸出希望者端末装置１０６で構成される。サーバ装置１０２、輸送業者端末装置１０３、保守業者端末装置１０４、借用希望者端末装置１０５、貸出希望者端末装置１０６は、ネットワーク１０１を介して接続されている。ネットワーク１０１は、例えば、インターネットである。
【００１１】
貸出希望者端末装置１０６は、農機具の貸出を希望する者（以下、貸出希望者という）が用いる端末装置である。貸出希望者端末装置１０６は、例えば、ＰＣ（Ｐｅｒｓｏｎａｌ  Ｃｏｍｐｕｔｅｒ）である。また、貸出希望者端末装置１０６は複数存在するものとする。貸出希望者は、例えば、農業従事者である。
借用希望者端末装置１０５は、農機具の借用を希望する者（以下、借用希望者）が用いる端末装置である。借用希望者端末装置１０５も、例えば、ＰＣである。また、借用希望者端末装置１０５も複数存在するものとする。借用希望者は、例えば、農業従事者である。
【００１２】
サーバ装置１０２は、貸出希望者と借用希望者との間で農機具の貸出を仲介する。サーバ装置１０２は、情報処理装置に相当する。また、サーバ装置１０２で行われる動作は、情報処理方法及び情報処理プログラムに相当する。
【００１３】
輸送業者端末装置１０３は、農機具の輸送業者が用いる端末装置である。輸送業者端末装置１０３は、例えばＰＣである。また、輸送業者端末装置１０３は複数存在するものとする。
保守業者端末装置１０４は、農機具の保守業者が用いる端末装置である。保守業者端末装置１０４も、例えばＰＣである。また、保守業者端末装置１０４も複数存在するものとする。
【００１４】
図２は、サーバ装置１０２の機能構成例を示し、図９は、サーバ装置１０２のハードウェア構成例を示す。
先ず、図９を参照して、サーバ装置１０２のハードウェア構成例を説明する。
【００１５】
サーバ装置１０２は、コンピュータである。
サーバ装置１０２は、ハードウェアとして、プロセッサ７０１、記憶装置７０２及び通信装置７０３を備える。
記憶装置７０２には、図２に示すネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３の機能を実現するプログラムが記憶されている。
そして、プロセッサ７０１がこれらプログラムを実行して、後述するネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３の動作を行う。
図３では、プロセッサ７０１がネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３の機能を実現するプログラムを実行している状態を模式的に表している。
また、記憶装置７０２は、図２に示す借用依頼格納部２０３、貸出依頼格納部２０５、マッチング情報格納部２０７、保守請負結果格納部２０９、輸送請負結果格納部２１１及び相場情報ＤＢ（Ｄａｔａｂａｓｅ）２１４を構成する。
通信装置７０３は、ネットワーク１０１を介して、輸送業者端末装置１０３、保守業者端末装置１０４、借用希望者端末装置１０５及び貸出希望者端末装置１０６と通信を行う。
【００１６】
次に、図２を参照して、サーバ装置１０２の機能構成を説明する。
【００１７】
ネットワーク通信制御部２０１は、ネットワーク１０１との通信を制御する。
【００１８】
借用依頼受信部２０２は、借用希望者端末装置１０５から送信された借用依頼をネットワーク通信制御部２０１を介して受信する。借用依頼は、農機具の借用を依頼するメッセージである。借用依頼には、借用条件及び貸出先地域が示される。借用条件には、借用対象の農機具の種類、仕様及び数量、借用期間、希望借用料金等が記述される。貸出先地域は、農機具が借用される地域である。
借用依頼受信部２０２は、受信した借用依頼を借用依頼格納部２０３に格納する。
なお、借用依頼受信部２０２により行われる動作は、借用依頼受信処理に相当する。
【００１９】
借用依頼格納部２０３は、借用依頼を記憶する。
【００２０】
貸出依頼受信部２０４は、貸出希望者端末装置１０６から送信された貸出依頼をネットワーク通信制御部２０１を介して受信する。貸出依頼は、農機具の貸出を依頼するメッセージである。貸出依頼には、貸出条件及び貸出元地域が示される。貸出条件には、貸出対象の農機具の種類、仕様及び数量、貸出期間、希望貸出料金等が記述される。貸出元地域は、農機具が所在する地域である。なお、以下では、貸出依頼が発行された農機具、すなわち、貸出の候補となる農機具を貸出候補農機具という。
貸出依頼受信部２０４は、受信した貸出依頼を貸出依頼格納部２０５に格納する。
【００２１】
貸出依頼格納部２０５は、貸出依頼を記憶する。
【００２２】
マッチング生成部２０６は、借用希望者と貸出希望者とのマッチングを行う。
換言すれば、マッチング生成部２０６は、貸出先地域に貸出候補農機具を貸し出す貸出元地域を選択する。
より具体的には、マッチング生成部２０６は、借用依頼格納部２０３から借用依頼を読み出し、貸出依頼格納部２０５から貸出依頼を読み出す。そして、マッチング生成部２０６は、複数の貸出元地域の各々と貸出先地域との組合せごとに、各貸出元地域から貸出先地域に貸出可能な貸出候補農機具を計数する。つまり、マッチング生成部２０６は、借用条件に合致する貸出条件を提示している貸出希望者の貸出候補農機具を貸出元地域の単位で計数する。そして、マッチング生成部２０６は、計数結果に基づき、貸出先地域に貸出候補農機具を貸し出す貸出元地域を選択する。また、マッチング生成部２０６は、計数結果に基づき、貸出先地域に貸出候補農機具を貸し出す貸出元地域を２以上選択した場合に、２以上の貸出元地域の各々と貸出先地域との組合せごとに、各貸出元地域から貸出先地域までの距離を計算する。そして、マッチング生成部２０６は、計算された距離に基づき、２以上の貸出元地域の中から貸出先地域に貸出候補農機具を貸し出す貸出元地域を選択する。そして、マッチング生成部２０６は、借用希望者と、選択した貸出元地域に所在する貸出希望者と、当該貸出希望者の貸出候補農機具とを対応付けるマッチング情報を生成し、生成したマッチング情報をマッチング情報格納部２０７に格納する。
このように、マッチング生成部２０６は、同一の地域にある複数の貸出候補農機具がまとまって貸出先地域に貸出可能であることを第１の条件にして借用希望者に貸し出す貸出候補農機具を選択する。また、マッチング生成部２０６は、第１の条件で２以上の貸出元地域が選択された場合に、貸出先地域への移動距離が最小になることを第２の条件にして借用希望者に貸し出す貸出候補農機具を選択する。
なお、第１の条件と第２の条件が適用される限り、マッチング生成部２０６による借用希望者と貸出希望者のマッチング方法はどのような方法でもよい。
マッチング生成部２０６が上記のように動作することで、休耕期の地域（貸出元地域）から農繁期の地域（貸出先地域）にまとまって農機具を貸し出すことが可能になり、農機具の輸送費を低減することができる。
なお、マッチング生成部２０６は選択部に相当する。また、マッチング生成部２０６により行われる動作は、選択処理に相当する。
【００２３】
マッチング情報格納部２０７は、マッチング情報を記憶する。
【００２４】
輸送請負オークション管理部２１０は、マッチング生成部２０６により選択された貸出元地域から貸出先地域への貸出候補農機具の輸送の請負についてのオークションを管理する。
つまり、輸送請負オークション管理部２１０は、マッチング情報に基づき、輸送業者端末装置１０３に輸送オークション情報を送信して、輸送業者に貸出元地域から貸出先地域への農機具の輸送の請負を促す。輸送オークション情報には、例えば、貸出元地域から貸出先地域に輸送される農機具のリスト、輸送時期が示される。そして、輸送請負オークション管理部２１０は、オークションに対する輸送業者端末装置１０３からの入札結果に基づき、農機具の輸送を行わせる輸送業者を選択する。
そして、輸送請負オークション管理部２１０は、輸送業者の選択結果を示す輸送請負結果情報を生成し、生成した輸送請負結果情報を輸送請負結果格納部２１１に格納する。
【００２５】
輸送請負結果格納部２１１は、輸送請負結果情報を記憶する。
【００２６】
保守請負オークション管理部２０８は、マッチング生成部２０６により選択された貸出元地域から貸出先地域に貸し出される貸出候補農機具の保守の請負についてのオークションを管理する。
つまり、保守請負オークション管理部２０８は、マッチング情報に基づき、保守業者端末装置１０４に保守オークション情報を送信して、保守業者に貸出元地域から貸出先地域に貸し出される農機具の保守の請負を促す。保守オークション情報には、例えば、貸出元地域から貸出先地域に貸し出される農機具のリスト、保守時期が示される。そして、保守請負オークション管理部２０８は、オークションに対する保守業者端末装置１０４からの入札結果に基づき、農機具の保守を行わせる保守業者を選択する。
そして、保守請負オークション管理部２０８は、保守業者の選択結果を示す保守請負結果情報を生成し、生成した保守請負結果情報を保守請負結果格納部２０９に格納する。
【００２７】
保守請負結果格納部２０９は、保守請負結果情報を記憶する。
【００２８】
マッチング実行部２１２は、例えば、借用希望者に貸し出される農機具の種別、借用期間及び借用料金の借用希望者への通知を行う。また、マッチング実行部２１２は、輸送費の見積り結果及び保守費の見積り結果の借用希望者への通知を行う。更に、マッチング実行部２１２は、輸送業者への輸送依頼及び保守業者への保守依頼を行う。また、マッチング実行部２１２は、借用希望者からの借用料金、輸送費及び保守費の支払いの受付処理を行う。また、マッチング実行部２１２は、貸出希望者への貸出料金の支払処理、輸送業者への輸送費の支払い処理及び保守業者への保守費の支払い処理を行う。
【００２９】
相場情報公開部２１３は、相場情報を借用希望者端末装置１０５及び貸出希望者端末装置１０６に送信する。相場情報には、農機具の貸出料金の過去の相場、農機具の現在の貸出状況、農機具の希望貸出料金及び農機具の希望借用料金のうちの少なくともいずれかが示される。
【００３０】
相場情報ＤＢ２１４は、相場情報を記憶する。
【００３１】
＊＊＊動作の説明＊＊＊
次に、本実施の形態に係る農機具貸出システムにおける動作例を図３及び図４を参照して説明する。
図３及び図４は、本実施の形態に係る農機具貸出システムにおけるデータフローを示す。
【００３２】
農機具の貸出希望者は貸出希望者端末装置１０６を用いて、サーバ装置１０２に貸出依頼を送信する（ステップＳ３０６）。貸出依頼には、例えば、貸出希望者の氏名、住所、連絡先（電話番号、Ｅ−Ｍａｉｌアドレス等）、貸出を希望する農機具の種別、仕様及び数量、貸出期間、希望貸出料金が含まれる。貸出希望者は、時期によって希望貸出料金を変化させることができる。また、貸出希望者は、最低貸出価格を設定することもできる。また、貸出希望者は、相場情報公開部２１３が提供する相場情報を閲覧して、希望貸出料金を設定することができる。
【００３３】
また、農機具の借用希望者は借用希望者端末装置１０５を用いて、借用依頼を送信する（ステップＳ３０７）。借用依頼には、借用希望者の氏名、住所、連絡先（電話番号、Ｅ−Ｍａｉｌアドレス等）、借用を希望する農機具の種別、仕様及び数量、借用期間、借用希望価格が含まれる。借用希望者は、相場情報公開部２１３が提供する相場情報を閲覧して、希望借用料金を設定することができる。
【００３４】
サーバ装置１０２では、借用依頼受信部２０２がネットワーク通信制御部２０１を介して借用依頼を受信し、借用依頼を借用依頼格納部２０３に格納する。また、貸出依頼受信部２０４がネットワーク通信制御部２０１を介して貸出依頼を受信し、貸出依頼を貸出依頼格納部２０５に格納する。
更に、マッチング生成部２０６が、貸出依頼及び借用依頼に基づき、借用希望者に貸し出す農機具を選択する。前述したように、マッチング生成部２０６は、同一の地域にある複数の農機具がまとまって貸出先地域に貸出可能であることを第１の条件にして借用希望者に貸し出す農機具を選択する。また、マッチング生成部２０６は、第１の条件で２以上の貸出元地域が選択された場合に、貸出先地域への移動距離が最小になることを第２の条件にして借用希望者に貸し出す農機具を選択する。
借用希望者に貸し出す農機具が選択されると、輸送請負オークション管理部２１０が、輸送オークション情報を輸送業者端末装置１０３に送信する（ステップＳ３０８）。また、保守請負オークション管理部２０８が、保守オークション情報を保守業者端末装置１０４に送信する（ステップＳ３０９）。
【００３５】
輸送業者は、輸送業者端末装置１０３を用いて輸送オークション情報を閲覧し、輸送業者端末装置１０３を用いてサーバ装置１０２に対して一括輸送についての入札を行う（ステップＳ３１０）。輸送業者は、輸送業者端末装置１０３を用いてサーバ装置１０２から提供される現在の入札状態を確認しながら入札を行うことができる。輸送請負のオークションは往路、復路のそれぞれで実施される。
また、保守業者は、保守業者端末装置１０４を用いて保守オークション情報を閲覧し、保守業者端末装置１０４を用いてサーバ装置１０２に対して一括保守についての入札を行う（ステップＳ３１１）。保守業者は、保守業者端末装置１０４を用いてサーバ装置１０２から提供される現在の入札状態を確認しながら入札を行うことができる。
【００３６】
入札期間の終了後に、サーバ装置１０２のマッチング実行部２１２は、借用希望者端末装置１０５に見積り通知を送信する（ステップＳ３１２）。見積り通知には、例えば、貸出対象の農機具の種別、仕様及び数量、借用期間、借用料金、輸送費の見積り結果及び保守費の見積り結果が含まれる。
【００３７】
借用希望者は借用希望者端末装置１０５を用いて、見積り承認をサーバ装置１０２に送信し、また、サーバ装置１０２に料金の支払いを行う（ステップＳ３１３）。
サーバ装置１０２では、マッチング実行部２１２が、ネットワーク通信制御部２０１を介して、往路の輸送請負を落札した輸送業者の輸送業者端末装置１０３に往路輸送落札結果通知及び輸送依頼を送信する（ステップＳ３１４）。また、マッチング実行部２１２は、ネットワーク通信制御部２０１を介して、復路の輸送請負を落札した輸送業者の輸送業者端末装置１０３に復路輸送落札結果通知及び輸送依頼を送信する（ステップＳ３１５）。更に、マッチング実行部２１２は、ネットワーク通信制御部２０１を介して、保守請負を落札した保守業者の保守業者端末装置１０４に落札結果通知及び保守依頼を送信する（ステップＳ３１６）。
【００３８】
往路の輸送業者によって農機具が貸出希望者から借用希望者に輸送されると、往路の輸送業者の輸送業者端末装置１０３からサーバ装置１０２に往路輸送完了報告が送信される（ステップＳ３１７）。
サーバ装置１０２では、マッチング実行部２１２が、ネットワーク通信制御部２０１を介して往路輸送完了報告を受信し、往路の輸送業者への支払い処理を実施する（ステップＳ３１８）。
また、保守業者によって農機具の保守作業が行われると、保守業者の保守業者端末装置１０４からサーバ装置１０２に保守完了報告が送信される（ステップＳ３１９）。
サーバ装置１０２では、マッチング実行部２１２が、ネットワーク通信制御部２０１を介して保守完了報告を受信し、保守業者への支払い処理を実施する（ステップＳ３２０）。
また、マッチング実行部２１２は、農機具が貸し出された貸出希望者の貸出希望者端末装置１０６に貸出結果と保守状況を通知し、また、貸出希望者への支払い処理を実施する（ステップＳ３２１）。マッチング実行部２１２は、貸出結果として、借用希望者との間で妥結した貸出期間及び貸出料金を貸出希望者端末装置１０６に通知する。また、マッチング実行部２１２は、農機具の返却予定日を貸出希望者端末装置１０６に通知してもよい。
復路の輸送業者によって農機具が借用希望者から貸出希望者に輸送されると、復路の輸送業者の輸送業者端末装置１０３からサーバ装置１０２に復路輸送完了報告が送信される（ステップＳ３２２）。
サーバ装置１０２では、マッチング実行部２１２が、ネットワーク通信制御部２０１を介して復路輸送完了報告を受信し、復路の輸送業者への支払い処理を実施する（ステップＳ３２３）。
【００３９】
なお、本実施の形態では、貸出期間の完了と共に農機具が貸出希望者に返却される例を説明した。農機具が複数の借用希望者の間を転々と連続して貸し出される場合は、貸出先の借用希望者ごとにステップＳ３１４〜Ｓ３２１が繰り返し行われる。そして、全ての貸出が完了した後に、農機具が返却される（ステップＳ３２２、Ｓ３２３）。
【００４０】
＊＊＊実施の形態の効果の説明＊＊＊
以上のように、本実施の形態に係るサーバ装置１０２は、貸出先地域に多数の農機具をまとめて貸し出すことができる貸出元地域を選択することができる。従って、本実施の形態によれば、多数の農機具を一括して輸送することにより輸送費を軽減することができる。
また、本実施の形態では、輸送業者及び保守業者がオークション形式で選択されるため、農機具の輸送費及び保守費を低減することができる。
【００４１】
実施の形態２．
実施の形態１では、貸出希望者は農業従事者を想定していたが、本実施の形態の貸出希望者には、農業従事者の他、農機具レンタル業者が含まれる。
つまり、本実施の形態では、実施の形態１のシステム構成に、農機具レンタル業者が組み込まれている。このため、本実施の形態によれば、農機具の需要と供給とが不均衡になった場合でも、需要を充足するために必要な農機具を確保することができる。
なお、以下では、主に実施の形態１との差異を説明する。以下で説明していない事項は、実施の形態１と同じである。
【００４２】
＊＊＊構成の説明＊＊＊
図５は、本実施の形態に係る農機具貸出システムの構成例を示す。
図５では、図１に示す構成に、レンタル業者端末装置１０７が追加されている。レンタル業者端末装置１０７以外の構成要素は図１に示したものと同様である。このため、レンタル業者端末装置１０７以外の構成要素については説明を省略する。
レンタル業者端末装置１０７は、農機具レンタル業者が用いる端末装置である。レンタル業者端末装置１０７は、例えば、ＰＣである。農機具レンタル業者は、例えば、農業組合又は民間の農機具のレンタル業を営む者である。
【００４３】
図６は、本実施の形態に係るサーバ装置１０２の機能構成例を示す。
図６では、図２の機能構成にレンタル請負結果格納部５１３及びレンタル請負オークション管理部５１４が追加されている。レンタル請負結果格納部５１３及びレンタル請負オークション管理部５１４以外の構成要素は、図２に示したものと同様である。このため、レンタル請負結果格納部５１３及びレンタル請負オークション管理部５１４以外の構成要素については説明を省略する。
【００４４】
レンタル請負オークション管理部５１４は、マッチング生成部２０６により選択された貸出元地域から貸出先地域に貸し出すことができない農機具の貸出についてのオークションを管理する。
つまり、レンタル請負オークション管理部５１４は、マッチング情報に基づき、レンタル業者端末装置１０７にレンタル希望農機具情報を送信して、農機具レンタル業者に、不足する農機具の貸出を促す。レンタル希望農機具情報には、例えば、不足する農機具の種別、仕様及び数量、借用期間、貸出先地域が示される。そして、レンタル請負オークション管理部５１４は、オークションに対するレンタル業者端末装置１０７からの入札結果に基づき、農機具レンタル業者を選択する。
そして、レンタル請負オークション管理部５１４は、農機具レンタル業者の選択結果を示すレンタル請負結果情報を生成し、生成したレンタル請負結果情報をレンタル請負結果格納部５１３に格納する。
【００４５】
レンタル請負結果格納部５１３は、レンタル請負結果情報を記憶する。
【００４６】
なお、サーバ装置１０２のハードウェア構成例は、図９に示すものと同じである。また、レンタル請負オークション管理部５１４は、ネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３と同様に、プログラムで実現される。レンタル請負オークション管理部５１４を実現するプログラムはプロセッサ７０１により実行される。また、レンタル請負結果格納部５１３は、借用依頼格納部２０３、貸出依頼格納部２０５、マッチング情報格納部２０７、保守請負結果格納部２０９、輸送請負結果格納部２１１及び相場情報ＤＢ２１４と同様に、記憶装置７０２により実現される。
【００４７】
＊＊＊動作の説明＊＊＊
次に、本実施の形態に係る農機具貸出システムにおける動作例を図７及び図８を参照して説明する。
図７及び図８は、本実施の形態に係る農機具貸出システムにおけるデータフローを示す。
【００４８】
ステップＳ６０６及びＳ６０７は、図３のステップＳ３０６及びＳ３０７と同じであるため、説明を省略する。
サーバ装置１０２では、実施の形態１と同様に、借用依頼受信部２０２がネットワーク通信制御部２０１を介して借用依頼を受信し、借用依頼を借用依頼格納部２０３に格納する。また、貸出依頼受信部２０４がネットワーク通信制御部２０１を介して貸出依頼を受信し、貸出依頼を貸出依頼格納部２０５に格納する。
更に、マッチング生成部２０６が、貸出依頼及び借用依頼に基づき、借用希望者に貸し出す農機具を選択する。つまり、マッチング生成部２０６は、実施の形態１と同様に、第１の条件及び第２の条件を適用して、借用希望者に貸し出す農機具を選択する。
ここで、貸出希望者からは特定の農機具（以下、農機具Ｘという）を借用希望者に貸し出すことができないものとする。
この場合に、レンタル請負オークション管理部５１４は、レンタル業者端末装置１０７にレンタル希望農機具情報を送信する（ステップＳ６０８）。レンタル希望農機具情報には、例えば、農機具Ｘの種別、仕様及び数量、借用期間、貸出先地域が示される。
【００４９】
農機具レンタル業者は、レンタル業者端末装置１０７を用いてレンタル希望農機具情報を閲覧し、レンタル業者端末装置１０７を用いてサーバ装置１０２に対して農機具Ｘの貸出についての入札を行う（ステップＳ３１０）。農機具レンタル業者は、レンタル業者端末装置１０７を用いてサーバ装置１０２から提供される現在の入札状態を確認しながら入札を行うことができる。
農機具レンタル業者が所在する地域が農閑期であれば、農機具レンタル業者は遊休農機具を大量に保持している可能性が高い。この場合には、農機具Ｘの入札価格が安価になる可能性がある。
農機具レンタル業者から農機具Ｘの調達が可能になった場合は、実施の形態１と同様に、輸送請負オークション管理部２１０が、農機具Ｘを含む貸出対象の農機具について輸送オークション情報を輸送業者端末装置１０３に送信する（ステップＳ６１０）。また、保守請負オークション管理部２０８が、農機具Ｘを含む貸出対象の農機具について保守オークション情報を保守業者端末装置１０４に送信する（ステップＳ６１１）。
ステップＳ６１２〜Ｓ６１８は、Ｓ３１０〜Ｓ３１６と同じであるため、説明を省略する。
【００５０】
本実施の形態では、マッチング実行部２１２が、農機具Ｘの貸出を行う農機具レンタル業者のレンタル業者端末装置１０７に落札結果通知及びレンタル依頼を送信し、また、レンタル料金の支払いを行う（ステップＳ６１９）。
ステップＳ６２０〜Ｓ６２６は、ステップＳ３１７〜Ｓ３２３と同じであるため、説明を省略する。
【００５１】
なお、本実施の形態では、貸出期間の完了と共に農機具が貸出希望者に返却される例を説明した。農機具が複数の借用希望者の間を転々と連続して貸し出される場合は、貸出先の借用希望者ごとにステップＳ６１６〜Ｓ６２４が繰り返し行われる。そして、全ての貸出が完了した後に、農機具が返却される（ステップＳ６２５、Ｓ６２６）。
【００５２】
＊＊＊実施の形態の効果の説明＊＊＊
以上のように、本実施の形態に係るサーバ装置１０２は、貸出希望者からは貸し出すことができない農機具を、例えば休耕期の地域の農機具レンタル業者からオークション形式で安価に調達することができる。このため、本実施の形態によれば、農機具の需要と供給とが不均衡になった場合でも、需要を充足するために必要な農機具を確保することができる。
【００５３】
＊＊＊ハードウェア構成の説明＊＊＊
最後に、サーバ装置１０２のハードウェア構成の補足説明を行う。
図９に示すプロセッサ７０１は、プロセッシングを行うＩＣ（Ｉｎｔｅｇｒａｔｅｄ  Ｃｉｒｃｕｉｔ）である。
プロセッサ７０１は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等である。
図９に示す記憶装置７０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）等である。
図９に示す通信装置７０３は、データを受信するレシーバー及びデータを送信するトランスミッターを含む。
通信装置７０３は、例えば、通信チップ又はＮＩＣ（Ｎｅｔｗｏｒｋ  Ｉｎｔｅｒｆａｃｅ  Ｃａｒｄ）である。
【００５４】
また、記憶装置７０２には、ＯＳ（Ｏｐｅｒａｔｉｎｇ  Ｓｙｓｔｅｍ）も記憶されている。
そして、ＯＳの少なくとも一部がプロセッサ７０１により実行される。
プロセッサ７０１はＯＳの少なくとも一部を実行しながら、ネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３の機能を実現するプログラムを実行する。
プロセッサ７０１がＯＳを実行することで、タスク管理、メモリ管理、ファイル管理、通信制御等が行われる。
また、サーバ装置１０２は、プロセッサ７０１を代替する複数のプロセッサを備えていてもよい。これら複数のプロセッサは、ネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３の機能を実現するプログラムの実行を分担する。それぞれのプロセッサは、プロセッサ７０１と同じように、プロセッシングを行うＩＣである。
また、ネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３の処理の結果を示す情報、データ、信号値及び変数値の少なくともいずれかが、記憶装置７０２、プロセッサ７０１内のレジスタ及びキャッシュメモリの少なくともいずれかに記憶される。
また、ネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３の機能を実現するプログラムは、磁気ディスク、フレキシブルディスク、光ディスク、コンパクトディスク、ブルーレイ（登録商標）ディスク、ＤＶＤ等の可搬記憶媒体に記憶されてもよい。
【００５５】
また、ネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３の「部」を、「回路」又は「工程」又は「手順」又は「処理」に読み替えてもよい。
また、サーバ装置１０２は、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）といった電子回路により実現されてもよい。
この場合は、ネットワーク通信制御部２０１、借用依頼受信部２０２、貸出依頼受信部２０４、マッチング生成部２０６、保守請負オークション管理部２０８、輸送請負オークション管理部２１０、マッチング実行部２１２及び相場情報公開部２１３は、それぞれ電子回路の一部として実現される。
なお、プロセッサ及び上記の電子回路を総称してプロセッシングサーキットリーともいう。
【符号の説明】
【００５６】
１０１  ネットワーク、１０２  サーバ装置、１０３  輸送業者端末装置、１０４  保守業者端末装置、１０５  借用希望者端末装置、１０６  貸出希望者端末装置、１０７  レンタル業者端末装置、２０１  ネットワーク通信制御部、２０２  借用依頼受信部、２０３  借用依頼格納部、２０４  貸出依頼受信部、２０５  貸出依頼格納部、２０６  マッチング生成部、２０７  マッチング情報格納部、２０８  保守請負オークション管理部、２０９  保守請負結果格納部、２１０  輸送請負オークション管理部、２１１  輸送請負結果格納部、２１２  マッチング実行部、２１３  相場情報公開部、２１４  相場情報ＤＢ、５１３  レンタル請負結果格納部、５１４  レンタル請負オークション管理部。
【図１】
0006529693.tif 000002
【図２】
0006529693.tif 000003
【図３】
0006529693.tif 000004
【図４】
0006529693.tif 000005
【図５】
0006529693.tif 000006
【図６】
0006529693.tif 000007
【図７】
0006529693.tif 000008
【図８】
0006529693.tif 000009
【図９】
0006529693.tif 000010